(57)【要約】【課題】利用者によるＩＤ種類の判別作業を省略でき、利用者がＩＤ種類毎の問い合わせ先を覚える必要がなく、ＩＤ問い合わせの煩雑さを解消する。【解決手段】本発明は、外部からＩＤを取得するＩＤ取得手段を有する端末と、ＩＤ種類と、インデックスと、コンテンツに関するサービス情報又は、サービスポインタ情報との組み合わせを記憶した多種ＩＤレジストリと、ＩＤを受け取り、該ＩＤのＩＤ種類と、インデックスを出力するＩＤ識別手段と、ＩＤ種類とインデックスが与えられた時に、多種ＩＤレジストリから該ＩＤ種類と該インデックスに対応するサービス情報あるいは、サービスポインタ情報を得るサービス取得手段と、を有するサーバと、を有する。【選択図】　　　図１
2004030330.tif 000002
【特許請求の範囲】
【請求項１】
動画、楽曲または、印刷物ようなコンテンツに付与するＩＤを取り扱うためのマルチＩＤサービス紹介システムであって、
外部からＩＤを取得するＩＤ取得手段を有する端末と、
ＩＤ種類と、同一種類ＩＤ内でユニークに付与されるインデックスと、コンテンツに関するサービス情報あるいは、サービスポインタ情報との組み合わせを記憶した多種ＩＤレジストリと、
ＩＤを受け取り、該ＩＤのＩＤ種類と、同一種類ＩＤ内でユニークに付与されるインデックスを出力するＩＤ識別手段と、
前記ＩＤ種類と前記インデックスが与えられた時に、前記多種ＩＤレジストリから該ＩＤ種類と該インデックスに対応するサービス情報あるいは、サービスポインタ情報を得るサービス取得手段と、を有するサーバと、を有することを特徴とするマルチＩＤサービス紹介システム。
【請求項２】
前記端末は、
ＩＤとコンテンツ閲覧箇所を表す付加情報と、サービス情報あるいは、サービスポインタ情報とを受け取り、ＩＤを前記ＩＤ識別手段に送り、ＩＤ種類と同一種類ＩＤ内でユニークに付与されるインデックスとを受け取り、該ＩＤ種類と該インデックスと付加情報と、サービス情報あるいは、サービスポインタ情報を前記多種ＩＤレジストリに送り、該多種ＩＤレジストリを更改する、多種ＩＤサービス登録手段を有する請求項１記載のマルチＩＤサービス紹介システム。
【請求項３】
動画、楽曲または、印刷物ようなコンテンツに付与するＩＤを取り扱うためのマルチＩＤサービス紹介システムであって、
外部からＩＤを取得するＩＤ取得手段と、
前記ＩＤ取得手段が前記ＩＤを外部から受け取った時点のコンテンツ閲覧箇所を表す付加情報を出力する付加情報取得手段と、を有する端末と、
ＩＤ種類と、同一種類ＩＤ内でユニークに付与されるインデックスと、コンテンツ閲覧箇所を表す付加情報と、コンテンツに関連するサービス情報あるいは、サービスポインタ情報との組み合わせを記憶した付加情報付き多種ＩＤレジストリと、
前記ＩＤを受け取り該ＩＤのＩＤ種類と、同一種類ＩＤ内でユニークに付与されるインデックスを出力するＩＤ識別手段と、
前記ＩＤ種類と前記インデックスと付加情報が与えられた時に、前記付加情報付き多種ＩＤレジストリから該ＩＤ種類と該インデックスと該付加情報に対応するサービス情報あるいは、サービスポインタ情報を得る付加情報付きサービス取得手段と、を有するサーバと、を有することを特徴とするマルチＩＤサービス紹介システム。
【請求項４】
前記端末は、
ＩＤとコンテンツ閲覧箇所を表す付加情報と、サービス情報あるいは、サービスポインタ情報とを受け取り、ＩＤを前記ＩＤ識別手段に送り、ＩＤ種類と同一種類ＩＤ内でユニークに付与されるインデックスとを受け取り、該ＩＤ種類と該インデックスと付加情報と、サービス情報あるいは、サービスポインタ情報を前記付加情報付き多種ＩＤレジストリに送り、該付加情報付き多種ＩＤレジストリを更改する多種ＩＤサービス登録手段を、更に有する請求項３記載のマルチＩＤサービス紹介システム。
【請求項５】
動画、楽曲または、印刷物ようなコンテンツに付与するＩＤを取り扱うためのマルチＩＤサービス紹介システムであって、
外部からＩＤを取得するＩＤ取得手段を、有する端末と、
同一種類ＩＤ内でユニークに付与されるインデックスと、コンテンツに関連するサービス情報あるいは、サービスポインタ情報との組み合わせを記憶したＩＤ種類毎の１個以上の単一種ＩＤレジストリと、
ＩＤを受け取り、該ＩＤのＩＤ種類と、同一種類ＩＤ内でユニークに付与されるインデックスを出力するＩＤ識別手段と、
前記ＩＤ種類を受け取り、該ＩＤ種類についての前記単一種ＩＤレジストリ場所を出力するＤＢ選択手段と、
前記ＩＤ種類と前記インデックスが与えられた時に、前記ＤＢ選択手段に問い合わせてＩＤ種類から前記単一種ＩＤレジストリ場所を受け取り、該単一種ＩＤレジストリ場所にある単一種ＩＤレジストリから、該インデックスに対応するサービス情報あるいは、サービスポインタ情報を得るサービス取得手段と、を有するサーバと、を有することを特徴とするマルチＩＤサービス紹介システム。
【請求項６】
前記端末は、
ＩＤと、サービス情報あるいは、サービスポインタ情報を受け取り、ＩＤを前記ＩＤ識別手段に送り、ＩＤ種類と同一種類ＩＤ内でユニークに付与されているインデックスとを受け取り、ＩＤ種類を前記ＤＢ選択手段に送り、該ＩＤ種類についての単一種ＩＤレジストリ場所を受け取り、該インデックスと該サービス情報あるいは該サービスポインタ情報を前記単一種ＩＤレジストリに送り、単一種ＩＤレジストリを更改する、単一種ＩＤサービス登録手段を更に有する請求項５記載のマルチＩＤサービス紹介システム。
【請求項７】
動画、楽曲または、印刷物ようなコンテンツに付与するＩＤを取り扱うためのマルチＩＤサービス紹介システムであって、
外部からＩＤを取得するＩＤ取得手段と、
前記ＩＤ取得手段が前記ＩＤを外部から受け取った時点のコンテンツの閲覧箇所を表す付加情報を出力する付加情報取得手段と、を有する端末と、
同一種類ＩＤ内でユニークに付与されるインデックスと、コンテンツ閲覧箇所を表す付加情報と、コンテンツに関連するサービス情報あるいは、サービスポインタ情報との組み合わせを記憶したＩＤ種類毎の１個以上の付加情報付き単一種ＩＤレジストリと、
前記ＩＤを受け取り、該ＩＤのＩＤ種類についての前記付加情報付き単一種ＩＤレジストリ場所を出力するＤＢ選択手段と、
前記ＩＤ種類と前記インデックスと付加情報が与えられたときに、前記ＤＢ選択手段に問い合わせてＩＤ種類から前記付加情報付き単一種ＩＤレジストリ場所を受け取り、該付加情報付き単一種ＩＤレジストリ場所にある付加情報付き単一種ＩＤレジストリから、該インデックスと該付加情報に対応するサービス情報あるいは、サービスポインタ情報を得るサービス取得手段と、を有するサーバとを有することを特徴とするマルチＩＤサービス紹介システム。
【請求項８】
前記端末は、
前記ＩＤと前記コンテンツ閲覧箇所を表す付加情報と、サービス情報あるいは、サービスポインタ情報を受け取り、該ＩＤを前記ＩＤ識別手段に送り、ＩＤ種類と同一種類ＩＤ内でユニークに付与されるインデックスを受け取り、該ＩＤ種類を前記ＤＢ選択手段に送り、該ＩＤ種類についての付加情報付き単一種ＩＤレジストリ場所を受け取り、該インデックスと該付加情報と該サービス情報あるいは該サービスポインタ情報を前記付加情報付き単一種ＩＤレジストリに送り、該付加情報付き単一種ＩＤレジストリを更改する、付加情報付き単一種ＩＤサービス登録手段を更に有する請求項７記載のマルチＩＤサービス紹介システム。
【請求項９】
前記ＩＤ識別手段を、ＩＤを識別する機能について、外部のネットワークで接続される他のＩＤ識別手段に委託するＩＤ識別外部委託手段に置き換える請求項１乃至８記載のいずれか１項記載のマルチＩＤサービス紹介システム。
【発明の詳細な説明】
【０００１】
【発明の属する技術分野】
本発明は、マルチＩＤサービス紹介システムに係り、特に、動画や楽曲、印刷物のようなコンテンツにＩＤを付与し、使用するためのマルチＩＤサービス紹介システムに関する。
【０００２】
【従来の技術】
従来、ＩＤを付与する際に、コンテンツの種類（動画、楽曲、印刷物）毎に、問い合わせを行い、異なる種類のＩＤを付与する。付与されるＩＤは、コンテンツの著作権情報や、コンテンツの関連情報を取得するためのインデックスとして使用される。
【０００３】
【発明が解決しようとする課題】
しかしながら、上記従来の技術には、以下のような問題がある。
【０００４】
（１）　ＩＤからコンテンツに関する情報を得るためには、ＩＤ種類毎にデータベースに問い合わせをしなければならず、ＩＤ毎のデータベース問い合わせ先を把握しておく必要があり、煩雑である。また、データベース問い合わせ先が不明なＩＤについては扱うことができない。
【０００５】
（２）　ＩＤの指し示す情報は、ＩＤ付与者が定めた情報に限定されるため、単一の目的（著作件情報管理等）のために付与されたＩＤから、目的以外のサービス情報を引き出すことができない。
【０００６】
（３）　ＩＤは、コンテンツ全体に対して付与するため、動画や書籍のように時刻と共に閲覧箇所が変わるコンテンツについても、コンテンツ全体に渡って同じＩＤしか得られず、常に同じ情報を得ることしかできない。
【０００７】
本発明は、上記の点に鑑みなされたもので、利用者によるＩＤ種類の判別作業を省略でき、利用者がＩＤ種類毎の問い合わせ先を覚える必要がなく、ＩＤ問い合わせの煩雑さを解消することが可能なマルチＩＤサービス紹介システムを提供することを目的とする。
【０００８】
【課題を解決するための手段】
図１は、本発明の原理構成図である。
【０００９】
本発明は、動画、楽曲または、印刷物ようなコンテンツに付与するＩＤを取り扱うためのマルチＩＤサービス紹介システムであって、
外部からＩＤを取得するＩＤ取得手段１１０を有する端末１００と、
ＩＤ種類と、同一種類ＩＤ内でユニークに付与されるインデックスと、コンテンツに関するサービス情報あるいは、サービスポインタ情報との組み合わせを記憶した多種ＩＤレジストリ２３０と、
ＩＤを受け取り、該ＩＤのＩＤ種類と、同一種類ＩＤ内でユニークに付与されるインデックスを出力するＩＤ識別手段２１０と、
ＩＤ種類とインデックスが与えられた時に、多種ＩＤレジストリから該ＩＤ種類と該インデックスに対応するサービス情報あるいは、サービスポインタ情報を得るサービス取得手段２２０と、を有するサーバ２００と、を有する。
【００１０】
本発明の端末１００は、
ＩＤとコンテンツ閲覧箇所を表す付加情報と、サービス情報あるいは、サービスポインタ情報とを受け取り、ＩＤをＩＤ識別手段２１０に送り、ＩＤ種類と同一種類ＩＤ内でユニークに付与されるインデックスとを受け取り、該ＩＤ種類と該インデックスと付加情報と、サービス情報あるいは、サービスポインタ情報を多種ＩＤレジストリ２３０に送り、該多種ＩＤレジストリ２３０を更改する、多種ＩＤサービス登録手段を有する。
【００１１】
本発明は、動画、楽曲または、印刷物ようなコンテンツに付与するＩＤを取り扱うためのマルチＩＤサービス紹介システムであって、
外部からＩＤを取得するＩＤ取得手段と、
ＩＤ取得手段がＩＤを外部から受け取った時点のコンテンツ閲覧箇所を表す付加情報を出力する付加情報取得手段と、を有する端末と、
ＩＤ種類と、同一種類ＩＤ内でユニークに付与されるインデックスと、コンテンツ閲覧箇所を表す付加情報と、コンテンツに関連するサービス情報あるいは、サービスポインタ情報との組み合わせを記憶した付加情報付き多種ＩＤレジストリと、
ＩＤを受け取り該ＩＤのＩＤ種類と、同一種類ＩＤ内でユニークに付与されるインデックスを出力するＩＤ識別手段と、
ＩＤ種類とインデックスと付加情報が与えられた時に、付加情報付き多種ＩＤレジストリから該ＩＤ種類と該インデックスと該付加情報に対応するサービス情報あるいは、サービスポインタ情報を得る付加情報付きサービス取得手段と、を有するサーバと、を有する。
【００１２】
本発明の端末は、
ＩＤとコンテンツ閲覧箇所を表す付加情報と、サービス情報あるいは、サービスポインタ情報とを受け取り、ＩＤをＩＤ識別手段に送り、ＩＤ種類と同一種類ＩＤ内でユニークに付与されるインデックスとを受け取り、該ＩＤ種類と該インデックスと付加情報と、サービス情報あるいは、サービスポインタ情報を付加情報付き多種ＩＤレジストリに送り、該付加情報付き多種ＩＤレジストリを更改する多種ＩＤサービス登録手段を更に有する。
【００１３】
本発明は、動画、楽曲または、印刷物ようなコンテンツに付与するＩＤを取り扱うためのマルチＩＤサービス紹介システムであって、
外部からＩＤを取得するＩＤ取得手段を、有する端末と、
同一種類ＩＤ内でユニークに付与されるインデックスと、コンテンツに関連するサービス情報あるいは、サービスポインタ情報との組み合わせを記憶したＩＤ種類毎の１個以上の単一種ＩＤレジストリと、
ＩＤを受け取り、該ＩＤのＩＤ種類と、同一種類ＩＤ内でユニークに付与されるインデックスを出力するＩＤ識別手段と、
ＩＤ種類を受け取り、該ＩＤ種類についての単一種ＩＤレジストリ場所を出力するＤＢ選択手段と、
ＩＤ種類とインデックスが与えられた時に、ＤＢ選択手段に問い合わせてＩＤ種類から単一種ＩＤレジストリ場所を受け取り、該単一種ＩＤレジストリ場所にある単一種ＩＤレジストリから、該インデックスに対応するサービス情報あるいは、サービスポインタ情報を得るサービス取得手段と、を有するサーバと、を有する。
【００１４】
本発明の端末は、
ＩＤと、サービス情報あるいは、サービスポインタ情報を受け取り、ＩＤをＩＤ識別手段に送り、ＩＤ種類と同一種類ＩＤ内でユニークに付与されているインデックスとを受け取り、ＩＤ種類をＤＢ選択手段に送り、該ＩＤ種類についての単一種ＩＤレジストリ場所を受け取り、該インデックスと該サービス情報あるいは該サービスポインタ情報を単一種ＩＤレジストリに送り、単一種ＩＤレジストリを更改する、単一種ＩＤサービス登録手段を更に有する。
【００１５】
本発明は、動画、楽曲または、印刷物ようなコンテンツに付与するＩＤを取り扱うためのマルチＩＤサービス紹介システムであって、
外部からＩＤを取得するＩＤ取得手段と、
ＩＤ取得手段がＩＤを外部から受け取った時点のコンテンツの閲覧箇所を表す付加情報を出力する付加情報取得手段と、を有する端末と、
同一種類ＩＤ内でユニークに付与されるインデックスと、コンテンツ閲覧箇所を表す付加情報と、コンテンツに関連するサービス情報あるいは、サービスポインタ情報との組み合わせを記憶したＩＤ種類毎の１個以上の付加情報付き単一種ＩＤレジストリと、
ＩＤを受け取り、該ＩＤのＩＤ種類についての付加情報付き単一種ＩＤレジストリ場所を出力するＤＢ選択手段と、
ＩＤ種類とインデックスと付加情報が与えられたときに、ＤＢ選択手段に問い合わせてＩＤ種類から付加情報付き単一種ＩＤレジストリ場所を受け取り、該付加情報付き単一種ＩＤレジストリ場所にある付加情報付き単一種ＩＤレジストリから、該インデックスと該付加情報に対応するサービス情報あるいは、サービスポインタ情報を得るサービス取得手段と、を有するサーバとを有する。
【００１６】
本発明の端末は、
ＩＤとコンテンツ閲覧箇所を表す付加情報と、サービス情報あるいは、サービスポインタ情報を受け取り、該ＩＤをＩＤ識別手段に送り、ＩＤ種類と同一種類ＩＤ内でユニークに付与されるインデックスを受け取り、該ＩＤ種類をＤＢ選択手段に送り、該ＩＤ種類についての付加情報付き単一種ＩＤレジストリ場所を受け取り、該インデックスと該付加情報と該サービス情報あるいは該サービスポインタ情報を付加情報付き単一種ＩＤレジストリに送り、該付加情報付き単一種ＩＤレジストリを更改する、付加情報付き単一種ＩＤサービス登録手段を更に有する。　本発明は、ＩＤ識別手段を、ＩＤを識別する機能について、外部のネットワークで接続される他のＩＤ識別手段に委託するＩＤ識別外部委託手段に置き換える。
【００１７】
上記のように、本発明では、利用者のＩＤ種別判別作業を省略させることが可能なＩＤ識別手段と、利用者がＩＤ種類毎の問い合わせ先を覚える必要性をなくすサービス取得手段を持つことにより、ＩＤ問い合わせの煩雑さを解消することが可能となる。
【００１８】
また、ＩＤサービス情報の組み合わせを記憶する多種ＩＤサービスレジストリ、あるいは、単一種類ＩＤレジストリを持つことにより、ＩＤの付与目的以外の種類の情報を取り出すことが可能となる。
【００１９】
さらに、付加情報を扱う付加情報取得手段と、付加情報付サービス取得手段と、付加情報付単一種ＩＤレジストリあるいは、付加情報付多種ＩＤレジストリを持つことにより、同じコンテンツであっても、閲覧箇所によって異なる情報を得ることが可能となる。
【００２０】
【発明の実施の形態】
以下、図面と共に本発明の実施の形態について説明する。
【００２１】
［第１の実施の形態］
図２は、本発明の第１の実施の形態におけるシステム構成図である。
【００２２】
同図に示すシステムは、端末１００とＷｅｂサーバ２００から構成される。
【００２３】
本実施の形態では、端末１００上にＩＤ取得部１１０を有し、ＩＤをネットワークを介してｈｔｔｐプロトコルで、Ｗｅｂサーバ２００上のＩＤ識別部２１０に送る。ｈｔｔｐプロトコルにＩＤを載せる方法は、例えば、ＵＲＬ引数として載せる方法を採る。端末１００上でコンテンツからＩＤ種類とインデックスを取り出す方法は、例えば、コンテンツのヘッダ部にそれらを記述してある場合はヘッダを読み出す方法、電子透かしでそれらを埋め込んである場合は電子透かし読み取りを使用する。
【００２４】
Ｗｅｂサーバ２００上には、ＩＤ識別部２１０と、サービス取得部２２０と多種ＩＤレジストリ２３０を実装する。通常ＩＤは、「ＡＢＣＤ＿１２３４５６」のように、ＩＤを種類を示す部分（“ＡＢＣＤ＿”）と同一ＩＤ種類内でのユニークなインデックスを示す部分（“１２３４５６”）からなる。ＩＤ識別部２１０は、ＩＤ種類を示す部分の一覧を記憶しておき、ＩＤと一覧を比較して、ＩＤの種類を識別した後、インデックス部を分離する。その後、ＩＤ種類とインデックスをサービス取得部２２０に送る。
【００２５】
サービス取得部２２０は、ＩＤ識別部２１０から受け取ったＩＤ種類とインデックスを検索キーとして多種ＩＤレジストリ２３０に問い合わせをし、サービス情報を取得し、サービス情報をＩＤを取得した端末１００に送る。端末１００にサービス情報を送る方法としては、情報をＷｅｂページとして構成し、端末１００のＷｅｂブラウザに送る方法を採る。
【００２６】
多種ＩＤレジストリ２３０は、ＩＤ種類とインデックスの組み合わせに対応した０個以上のサービス情報あるいは、サービスポインタ情報を記憶するデータベースである。
【００２７】
［第２の実施の形態］
図３は、本発明の第２の実施の形態におけるシステム構成を示す。
【００２８】
同図に示すシステムは、端末１００とメールサーバ３００から構成される。
【００２９】
端末１００は、ＩＤ取得部１１０を実装し、ＩＤをネットワークを介してメールプロトコルでメールサーバ３００上のＩＤ識別部３１０に送る。メールプロトコルにＩＤを載せる方法は、例えば、メールのヘッダあるいは本文に載せる方法を採る。端末１００上でコンテンツからＩＤ種類とインデックスを読み出す方法は、例えば、コンテンツのヘッダ部にそれらを記述してある場合は、ヘッダを読み出す方法、電子透かしでそれらを埋め込んである場合は電子透かし読み取りを使用する。
【００３０】
メールサーバ３００上には、ＩＤ識別部３１０とサービス取得部３２０と多種ＩＤレジストリ３３０を実装する。通常ＩＤは、「ＡＢＣＤ＿１２３４５６」のように、ＩＤを種類を示す部分（“ＡＢＣＤ＿”）と同一ＩＤ種類内でのユニークなインデックスを示す部分（“１２３４５６”）からなる。
【００３１】
ＩＤ識別部３１０は、ＩＤ種類を示す部分の一覧を記憶しておき、ＩＤと一覧を比較してＩＤの種類を識別した後、インデックス部を分離する。その後、ＩＤ種類とインデックスをサービス取得部３２０に送る。
【００３２】
サービス取得部３２０は、ＩＤ識別部３１０から受け取ったＩＤ種類と、インデックスを検索キーとして多種ＩＤレジストリ３３０に問い合わせを行い、サービス情報を取得し、サービス情報をＩＤを取得した端末１００に送る。端末１００へサービス情報を送る方法としては、メールを用いる。
【００３３】
多種ＩＤレジストリ３３０は、ＩＤ種類とインデックスの組み合わせに対応した０個以上のサービス情報あるいは、サービスポインタ情報を記憶するデータベースである。
【００３４】
［第３の実施の形態］
図４は、本発明の第３の実施の形態におけるシステム構成を示す。
【００３５】
同図に示すシステムは、端末１００とＷｅｂサーバ２００から構成される。
【００３６】
本実施の形態では、端末１００上にＩＤ取得部１１０を有し、ＩＤをネットワークを介してｈｔｔｐプロトコルで、Ｗｅｂサーバ２００上のＩＤ識別部２１０に送る。ｈｔｔｐプロトコルにＩＤを載せる方法は、例えば、ＵＲＬ引数として載せる方法を採る。端末１００上でコンテンツからＩＤ種類とインデックスを取り出す方法は、例えば、コンテンツのヘッダ部にそれらを記述してある場合はヘッダを読み出す方法、電子透かしでそれらを埋め込んである場合は電子透かし読み取りを使用する。
【００３７】
また、ＩＤ取得部１１０と同じ端末１００上に付加情報取得部１２０を実装する。付加情報取得部１２０は、ＩＤ取得部１１０がＩＤを取得するのを契機に、付加情報をＷｅｂサーバ２００上の付加情報付サービス取得部２４０に送る。付加情報は、コンテンツ種類により自由に定義でき、例えば、動画であれば、現在閲覧中の画面が最初から何フレーム目であるか、最初から何秒後であるかが付加情報となる。例えば、電子ブックであれば、閲覧しているページや最初から何文字目を見ているかが付加情報となる。例えば、静止画であれば、閲覧している箇所が左から何ドット目、かつ、上から何ドット目かが付加情報となる。
【００３８】
Ｗｅｂサーバ２００上には、ＩＤ識別部２１０と付加情報付サービス取得部２４０と付加情報付多種ＩＤレジストリ２３１を実装する。通常ＩＤは、「ＡＢＣＤ＿１２３４５６」のように、ＩＤを種類を示す部分（“ＡＢＣＤ＿”）と同一ＩＤ種類内でのユニークなインデックスを示す部分（“１２３４５６”）からなる。ＩＤ識別部２１０は、ＩＤ種類を示す部分の一覧を記憶しておき、ＩＤと一覧を比較して、ＩＤの種類を識別した後、インデックス部を分離する。その後、ＩＤ種類とインデックスを付加情報付きサービス取得部２４０に送る。
【００３９】
付加情報付きサービス取得部２４０は、ＩＤ識別部２１０から受け取ったＩＤ種類とインデックスと付加情報取得部１２０から受け取った付加情報を検索キーとして付加情報付き多種ＩＤレジストリ２３１に問い合わせをし、サービス情報を取得し、サービス情報をＩＤを取得した端末１００に送る。端末１００にサービス情報を送る方法としては、情報をＷｅｂページとして構成し、端末１００のＷｅｂブラウザに送る方法を採る。
【００４０】
付加情報付き多種ＩＤレジストリ２３１は、ＩＤ種類とインデックスと付加情報の組み合わせに対応した０個以上のサービス情報あるいは、サービスポインタ情報を記憶するデータベースである。
【００４１】
［第４の実施の形態］
図５は、本発明の第４の実施の形態におけるシステム構成を示す。
【００４２】
同図に示すシステムは、端末１００とＷｅｂサーバ２００から構成される。
【００４３】
本実施の形態では、端末１００上にＩＤ取得部１１０を実装し、ＩＤをネットワークを介してｈｔｔｐプロトコルで、Ｗｅｂサーバ２００上のＩＤ識別部２１０に送る。ｈｔｔｐプロトコルにＩＤを載せる方法は、例えば、ＵＲＬ引数として載せる方法を採る。端末１００上でコンテンツからＩＤ種類とインデックスを取り出す方法は、例えば、コンテンツのヘッダ部にそれらを記述してある場合はヘッダを読み出す方法、電子透かしでそれらを埋め込んである場合は電子透かし読み取りを使用する。
【００４４】
Ｗｅｂサーバ２００上には、ＩＤ識別部２１０とサービス取得部２２０と、ＤＢ選択部２６０と、１個以上の単一種ＩＤレジストリを実装する。通常ＩＤは、「ＡＢＣＤ＿１２３４５６」のように、ＩＤを種類を示す部分（“ＡＢＣＤ＿”）と同一ＩＤ種類内でのユニークなインデックスを示す部分（“１２３４５６”）からなる。ＩＤ識別部２１０は、ＩＤ種類を示す部分の一覧を記憶しておき、ＩＤと一覧を比較して、ＩＤの種類を識別した後、インデックス部を分離する。その後、ＩＤ種類とインデックスをサービス取得部２２０に送る。
【００４５】
サービス取得部２２０は、ＩＤ識別部２１０から受け取ったＩＤ種類をＤＢ選択部２６０に送り、当該ＩＤ種類に関する単一種レジストリ場所を得る。その場所の単一種ＩＤレジストリから、ＩＤ識別部２１０から受け取ったインデックスを検索キーとして、サービス情報を取得し、サービス情報をＩＤを取得した端末１００に送る。端末１００へサービス情報を送る方法としては、情報をＷｅｂページとして構成し、端末１００のＷｅｂブラウザに送る方法を採る。
【００４６】
ＤＢ選択部２６０は、ＩＤ種類と対応する単一種ＩＤレジストリ場所を記憶しておき、ＩＤ種類を受け取ったときに対応する単一種ＩＤレジストリ場所を返す。
【００４７】
単一レジストリ２３２、２３３は、インデックスに対応した０個以上のサービス情報あるいは、サービスポインタ情報を記憶するデータベースである。
【００４８】
［第５の実施の形態］
図６は、本発明の第５の実施の形態におけるシステム構成を示す。
【００４９】
同図に示すシステムは、端末１００とＷｅｂサーバ２００から構成される。
【００５０】
本実施の形態では、端末１００上にＩＤ取得部１１０を実装し、ＩＤをネットワークを介してｈｔｔｐプロトコルでＷｅｂサーバ２００上のＩＤ識別部２１０に送信する。ｈｔｔｐプロトコルにＩＤを載せる方法は、例えば、ＵＲＬ引数として載せる方法を採る。端末１００上でコンテンツからＩＤ種類とインデックスを取り出す方法は、例えば、コンテンツのヘッダ部にそれらを記述してある場合はヘッダを読み出す方法、電子透かしでそれらを埋め込んである場合は電子透かし読み取りを使用する。
【００５１】
また、端末１００は、ＩＤ取得部１１０に加え、付加情報取得部１２０を実装する。付加情報取得部１２０は、ＩＤ取得部１１０がＩＤを取得するのを契機に、付加情報をＷｅｂサーバ２００上の付加情報付きサービス取得部２４０に送る。付加情報は、コンテンツ種類により自由に定義でき、例えば、動画であれば現在閲覧中の画面が最初から何フレーム目であるか、最初から何秒後であるかが付加情報となる。例えば、電子ブックであれば、閲覧しているページや最初から何文字目を見ているかが付加情報となる。例えば、静止画であれば、閲覧している箇所が左から何ドット目かつ上から何ドット目が付加情報となる。
【００５２】
Ｗｅｂサーバ２００上には、ＩＤ識別部２１０と付加情報付きサービス取得部２４０とＤＢ選択部２６０と付加情報付き単一種ＩＤレジストリ２３４、２３５を実装する。
【００５３】
通常ＩＤは、「ＡＢＣＤ＿１２３４５６」のように、ＩＤを種類を示す部分（“ＡＢＣＤ＿”）と同一ＩＤ種類内でのユニークなインデックスを示す部分（“１２３４５６”）からなる。ＩＤ識別部２１０は、ＩＤ種類を示す部分の一覧を記憶しておき、ＩＤと一覧を比較して、ＩＤの種類を識別した後、インデックス部を分離する。その後、ＩＤ種類とインデックスを付加情報付きサービス取得部２４０に送る。
【００５４】
付加情報付きサービス取得部２４０は、ＩＤ識別部２１０から受け取ったＩＤ種類をＤＢ選択部２６０に送り、当該ＩＤ種類に関する付加情報付き単一種ＩＤレジストリ場所を得る。その場所の付加情報付き単一種ＩＤレジストリ２３４、（または、２３５）から、ＩＤ識別部２１０から受け取ったインデックスと付加情報取得部１２０から受け取った付加情報を検索キーとして、サービス情報を取得し、サービス情報をＩＤを取得した端末１００へ送信する。
【００５５】
端末１００へサービス情報を送る方法としては、情報をｗｅｂページとして構成し、端末１００のｗｅｂブラウザに送る方法を採る。
【００５６】
付加情報付き単一種ＩＤレジストリ２３４、２３５は、インデックスと付加情報の組み合わせに対応した０個以上のサービス情報あるいは、サービスポインタ情報を記憶するデータベースである。
【００５７】
［第６の実施の形態］
図７は、本発明の第６の実施の形態におけるシステム構成を示す。
【００５８】
同図に示すシステムは、前述の第５の実施の形態におけるＷｅｂサーバ２００のＩＤ識別部２１０を端末１００側に移動させたものである。
【００５９】
端末１００上のＩＤ識別部１３０からＷｅｂサーバ２００上の付加情報付きサービス取得部２４０への通信がｈｔｔｐプロトコルに変わる以外の動作は前述の第５の実施の形態と同様である。
【００６０】
［第７の実施の形態］
図８は、本発明の第７の実施の形態におけるシステム構成を示す。
【００６１】
同図に示すシステムは、端末１００とＷｅｂサーバ２００及び、当該Ｗｅｂサーバ２００にネットワークを介して接続されるＩＤ識別部４００から構成される。
【００６２】
端末１００上にＩＤ取得部１１０と付加情報取得部１２０を有する。ＩＤ取得部１１０は、ＩＤをネットワークを介してｈｔｔｐプロトコルでＷｅｂサーバ２００上のＩＤ識別部４００に送る。ｈｔｔｐプロトコルにＩＤを載せる方法は、例えば、ＵＲＬ引数として載せる方法を採る。端末１００上でコンテンツからＩＤ種類とインデックスを取り出す方法は、例えば、コンテンツのヘッダ部にそれらを記述してある場合は、ヘッダを読み出す方法、電子透かしでそれらを埋め込んである場合は、電子透かし読み取りを行う。
【００６３】
端末１００は、ＩＤ取得部１１０に加えて付加情報取得部１２０を有する。付加情報取得部１２０は、ＩＤ取得部１１０がＩＤを取得するのを契機に付加情報をＷｅｂサーバ２００上の付加情報付きサービス取得部２４０に送る。
【００６４】
付加情報は、コンテンツ種類により自由に定義でき、例えば、動画であれば現在閲覧中の画面が最初から何フレーム目であるか、最初から何秒後であるかが付加情報となる。例えば、電子ブックであれば、閲覧しているページや最初から何文字目を見ているかが付加情報となる。例えば、静止画であれば、閲覧している箇所が左から何ドット目かつ上から何ドット目かが付加情報となる。
【００６５】
Ｗｅｂサーバ２００上には、ＩＤ識別外部委託部２７０と付加情報付きサービス取得部２４０とＤＢ選択部２６０と付加情報付き単一種ＩＤレジストリ２３４、２３５を実装する。通常ＩＤは、「ＡＢＣＤ＿１２３４５６」のように、ＩＤを種類を示す部分（“ＡＢＣＤ＿”）と同一ＩＤ種類内でのユニークなインデックスを示す部分（“１２３４５６”）からなる。ＩＤ識別外部委託部２７０は、ＩＤ種類種別とインデックス部を分離するため、ネットワークに接続された外部のＩＤ識別部４００にその作業を委託して結果を受け取る。その後、ＩＤ種類とインデックスを付加情報付きサービス取得部２４０に送る。
【００６６】
付加情報付きサービス取得部２４０は、ＩＤ識別外部委託部２７０から受け取ったＩＤ種類をＤＢ選択部２６０に送り、当該ＩＤ種類に関する付加情報付き単一種ＩＤレジストリ場所を取得する。ＩＤ識別部４００から受け取ったインデックスと付加情報取得部１２０から受け取った付加情報を検索キーとして、取得した場所の付加情報付き単一ＩＤレジストリ２３４（２３５）からサービス情報を検索し、サービス情報をＩＤを取得した端末１００へ送信する。
【００６７】
端末１００へサービス情報を送る方法としては、情報をｗｅｂページとして構成し、端末１００のｗｅｂブラウザに送る方法を採る。
【００６８】
付加情報付き単一ＩＤレジストリ２３４、２３５は、インデックスと付加情報の組み合わせに対応した０個以上のサービス情報あるいは、サービスポインタ情報を記憶するデータベースである。
【００６９】
［第８の実施の形態］
図９は、本発明の第８の実施の形態におけるシステム構成を示す。
【００７０】
同図に示すシステムは、前述の第７の実施の形態におけるＷｅｂサーバ２００のＩＤ識別外部委託部２７０を端末１００上に移動させ、端末１００にＩＤ識別部４００が接続された構成である。
【００７１】
端末１００上のＩＤ識別外部委託部１４０からＷｅｂサーバ２００上の付加情報付きサービス取得部２４０への通信がｈｔｔｐプロトコルに変わる以外の動作は前述の第７の実施の形態と同様である。
【００７２】
［第９の実施の形態］
図１０は、本発明の第９の実施の形態におけるシステム構成を示す。
【００７３】
同図に示すシステムは、前述の第１の実施の形態の構成において、端末５００に多種ＩＤサービス登録部５１０を設けた構成である。
【００７４】
ＩＤ取得部１１０を実装した端末１００からＷｅｂサーバ２００にＩＤを送り、サービス情報を受け取る動作は前述の第１の実施の形態と同様である。多種ＩＤサービス登録部５１０を実装した端末５００からサービス登録を行う動作が加わった点が第１の実施の形態と異なる。
【００７５】
多種ＩＤサービス登録部５１０は、ＩＤ種類とインデックスとサービス情報あるいは、サービスポインタ情報を受け取り、ネットワークを通じてｈｔｔｐプロコルでＷｅｂサーバ２００上の多種ＩＤレジストリ２３０へ送る。ｈｔｔｐプロトコルにＩＤ種類とインデックスとサービス情報を載せる方法は、例えば、ＵＲＬ引数として載せる方法を採る。
【００７６】
多種ＩＤサービス登録部５１０がＩＤとインデックスとを別々に受け取らず、それらが混じったＩＤとして受け取る場合は、Ｗｅｂサーバ２００上のＩＤ識別部２１０へＩＤをｈｔｔｐプロトコルで送り、ＩＤ識別部２１０が識別分離したＩＤ種類とインデックスを受け取り、それを利用する。
【００７７】
多種ＩＤディレクトリは、多種ＩＤサービス登録部５１０から受け取ったＩＤ種類とインデックスの組み合わせに対応するサービス情報あるいは、サービスポインタ情報が既に登録されていれば、既存のＩＤ種類とインデックスの組み合わせが指すサービス情報欄へサービス情報あるいは、サービスポインタ情報を追記し、未登録であれば、新規にＩＤ種類とインデックスとサービス情報あるいは、サービスポインタ情報の組み合わせを登録する。
【００７８】
なお、ＩＤ取得部１１０が実装された端末１００と多種ＩＤサービス登録部５１０が実装された端末５００は同一のものでもよい。
【００７９】
［第１０の実施の形態］
図１１は、本発明の第１０の実施の形態におけるシステム構成を示す。
【００８０】
同図に示すシステムは、前述の第３の実施の形態に加え、付加情報付き多種ＩＤサービス登録部６１０を有する端末６００を設けたものである。
【００８１】
ＩＤ取得部１１０を実装した端末１００から、Ｗｅｂサーバ２００にＩＤと付加情報を送り、サービス情報を受け取る動作は、前述の第３の実施の形態と同様である。
【００８２】
付加情報付き多種ＩＤサービス登録部６１０を実装した端末６００からサービス登録を行う動作が加わった点が第３の実施の形態と異なる。
【００８３】
付加情報付き多種ＩＤサービス登録部６１０は、ＩＤ種類とインデックスと付加情報とサービス情報あるいは、サービスポインタ情報を受け取り、ネットワークを介してｈｔｔｐプロトコルでＷｅｂサーバ２００上の多種ＩＤレジストリ２３１に送る。ｈｔｔｐプロトコルにＩＤ種類とインデックスと付加情報とサービス情報を載せる方法は、例えば、ＵＲＬ引数として載せる方法を採る。
【００８４】
付加情報付き多種ＩＤサービス登録部６１０がＩＤ種類とインデックスとを別々に受け取らず、それらが混じったＩＤとして受け取る場合は、Ｗｅｂサーバ２００上のＩＤ識別部２１０へＩＤをｈｔｔｐプロトコルで送り、ＩＤ識別部２１０が識別分離したＩＤ種類とインデックスを受け取り、それを利用する。
【００８５】
付加情報付き多種ＩＤレジストリ２３１は、付加情報付き多種ＩＤサービス登録部６１０から受け取ったＩＤ種類とインデックスと付加情報の組み合わせに対応するサービス情報あるいは、サービスポインタ情報が既に登録されていれば、既存ＩＤ種類とインデックスと付加情報の組み合わせが指すサービス情報欄へサービス情報あるいは、サービスポインタ情報を追記し、未登録であれば、新規にＩＤ種別とインデックスと付加情報とサービス情報あるいは、サービスポインタ情報の組み合わせを登録する。
【００８６】
なお、ＩＤ取得部１１０が実装された端末１００と付加情報付き多種ＩＤサービス登録部６１０が実装された端末６００は同一のものでもよい。
【００８７】
［第１１の実施の形態］
図１２は、本発明の第１１の実施の形態におけるシステム構成図である。
【００８８】
同図に示すシステムは、前述の第４の実施の形態における構成に加え、単一種ＩＤサービス登録部７１０を実装する端末７００を設けたものである。
【００８９】
ＩＤ取得部１１０を実装した端末１００からＷｅｂサーバ２００にＩＤを送り、サービス情報を受け取る動作は前述の第４の実施の形態と同様である。単一種ＩＤサービス登録部７１０を実装した端末７００からサービス登録を行う動作が加わった点が第４の実施の形態と異なる。
【００９０】
単一種ＩＤサービス登録部７１０は、ＩＤ種類とインデックスとサービス情報あるいは、サービスポインタ情報を受け取り、まず、ＩＤ種類をネットワークを通じてｈｔｔｐプロトコルでＷｅｂサーバ上のＤＢ選択部２６０へ送り、当該ＩＤ種類に関する単一種ＩＤレジストリ場所を得る。次に、インデックスとサービス情報をＤＢ選択部２６０から得た場所にある単一種ＩＤレジストリ（２３２、２３３）に送る。
【００９１】
単一種ＩＤサービス登録部７１０がＩＤ種類とインデックスとを別々に受け取らず、それが混じったＩＤとして受け取る場合は、Ｗｅｂサーバ２００上のＩＤ識別部２１０へＩＤをｈｔｔｐプロトコルで送り、ＩＤ識別部２１０が識別分離したＩＤ種類とインデックスを受け取りそれを利用する。
【００９２】
単一種ＩＤレジストリ２３２、２３３は、単一種ＩＤサービス登録部７１０から受け取ったインデックスに対応するサービス情報あるいは、サービスポインタ情報が既に登録されていれば、既存インデックスが指すサービス情報欄へサービス情報あるいは、サービスポインタ情報を追記し、未登録であれば、新規にインデックスとサービス情報あるいは、サービスポインタ情報の組み合わせを登録する。
【００９３】
なお、ＩＤ取得部１１０が実装された端末１００と単一種サービス登録部７１０が実装された端末７００は同一のものであてもよい。
【００９４】
［第１２の実施の形態］
図１３は、本発明の第１２の実施の形態におけるシステム構成を示す。
【００９５】
同図に示すシステムは、前述の第１１の実施の形態の構成において、ＩＤ識別部４００をＷｅｂサーバ２００とネットワークを介して接続し、Ｗｅｂサーバ２００に、ＩＤ識別外部委託部２７０を設け、当該ＩＤ識別外部委託部２７０がその機能実行を外部に委託する以外の動作は、第１１の実施の形態と同様である。
［第１３の実施の形態］
図１４は、本発明の第１３の実施の形態におけるシステム構成を示す。
【００９６】
同図に示すシステムは、前述の第５の実施の形態の構成に加え、付加情報付き単一種ＩＤサービス登録部８１０を実装した端末８００を設けたものである。
【００９７】
ＩＤ取得部１１０を実装した端末１００からＷｅｂサーバ２００にＩＤを送り、サービス情報を受け取る動作は、第５の実施の形態と同様である。付加情報付き単一種ＩＤサービス登録部８１０を実装した端末８００からサービス登録を行う動作が加わった点が第５の実施の形態と異なる。
【００９８】
付加情報付き単一種ＩＤサービス登録部８１０は、ＩＤ種類とインデックスと付加情報とサービス情報あるいは、サービスポインタ情報を受け取り、まず、ＩＤ種類をネットワークを通じてｈｔｔｐプロトコルでＷｅｂサーバ２００上のＤＢ選択部２６０に送り、当該ＩＤ種類に関する付加情報付き単一種ＩＤレジストリ場所を得る。次に、インデックスと付加情報とサービス情報を、ＤＢ選択部２６０から得た場所にある付加情報付き単一種ＩＤレジストリ２３４（又は、２３５）に送る。
【００９９】
付加情報付き単一種ＩＤサービス登録部８１０がＩＤ種類とインデックスとを別々に受け取らず、それらが混じったＩＤとして受け取る場合は、Ｗｅｂサーバ２００上のＩＤ識別部２１０へＩＤをｈｔｔｐプロトコルで送り、ＩＤ識別部２１０が識別分離したＩＤ種類とインデックスを受け取りそれを利用する。
【０１００】
付加情報付き単一種ＩＤレジストリは、付加情報付き単一種ＩＤサービス登録部８１０から受け取ったインデックスと付加情報の組み合わせに対応するサービス情報あるいは、サービスポインタ情報が既に登録されていれば、既存インデックスと付加情報の組み合わせが指すサービス情報欄へサービス情報あるいは、サービスポインタ情報を追記し、未登録であれば、新規にインデッスと付加情報とサービス情報あるいは、サービスポインタ情報の組み合わせを登録する。
【０１０１】
なお、ＩＤ取得部１１０が実装された端末１００と付加情報付き単一種ＩＤサービス登録部８１０が実装された端末８００は同一のものでもよい。
【０１０２】
［第１４の実施の形態］
図１５は、本発明の第１４の実施の形態におけるシステム構成を示す。
【０１０３】
同図に示すシステムは、前述の第１３の実施の形態の構成において、ＩＤ識別部４００をＷｅｂサーバ２００の外部に設けたものであり、図１４のＩＤ識別部２１０をＩＤ識別外部委託部２７０に換えたものである。ＩＤ識別外部委託部２７０が、その機能実行を外部のＩＤ識別部４００に委託する以外の動作は、第１３の実施の形態と同様である。
【０１０４】
また、上記の実施の形態における端末及びサーバの各動作をプログラムとして構築し、ネットワークを介して流通させる、または、端末及びサーバとして利用されるコンピュータにインストールすることが可能である。
【０１０５】
また、構築されたプログラムを端末及びサーバとして利用されるコンピュータに接続されるハードディスク装置や、フレキシブルディスク、ＣＤ−ＲＯＭ等の可搬記憶媒体に格納しておき、本発明を実施する際にインストールすることも可能である。
【０１０６】
なお、本発明は、上記の実施の形態に限定されることなく、特許請求の範囲内において、種々変更・応用が可能である。
【０１０７】
【発明の効果】
上述のように、本発明によれば、ＩＤ識別手段を持つことにより、利用者がＩＤ種類を判別する必要がない。
【０１０８】
また、サービス取得手段を持つことにより、利用者がＩＤ種類毎の問い合わせ先を覚えておいてシステムに入力する必要がない。
【０１０９】
上記の２つの手段により、利用者はＩＤ種類に対する知識が全くなくてもコンテンツに関するサービスを享受することができる。
【０１１０】
また、本発明では、サービスを保持する多種ＩＤレジストリあるいは、単一種類ＩＤレジストリが保持するサービスを限定していない。そのため、ＩＤに対し、さまざまなサービスを登録することができ、利用者は、ＩＤの付与目的以外のサービスを享受することができる。
【０１１１】
さらに、本発明では、付加情報を利用している箇所により異なるサービス情報を得ることができる。例えば、２時間の映画コンテンツの前半と後半で異なる情報を提供することも可能である。
【図面の簡単な説明】
【図１】本発明の原理構成図である。
【図２】本発明の第１の実施の形態におけるシステム構成図である。
【図３】本発明の第２の実施の形態におけるシステム構成図である。
【図４】本発明の第３の実施の形態におけるシステム構成図である。
【図５】本発明の第４の実施の形態におけるシステム構成図である。
【図６】本発明の第５の実施の形態におけるシステム構成図である。
【図７】本発明の第６の実施の形態におけるシステム構成図である。
【図８】本発明の第７の実施の形態におけるシステム構成図である。
【図９】本発明の第８の実施の形態におけるシステム構成図である。
【図１０】本発明の第９の実施の形態におけるシステム構成図である。
【図１１】本発明の第１０の実施の形態におけるシステム構成図である。
【図１２】本発明の第１１の実施の形態におけるシステム構成図である。
【図１３】本発明の第１２の実施の形態におけるシステム構成図である。
【図１４】本発明の第１３の実施の形態におけるシステム構成図である。
【図１５】本発明の第１４の実施の形態におけるシステム構成図である。
【符号の説明】
１００　端末
１１０　ＩＤ取得手段、ＩＤ取得部
１２０　付加情報取得部
１３０　ＩＤ識別部
１４０　ＩＤ識別外部委託部
２００　サーバ、Ｗｅｂサーバ
２１０　ＩＤ識別手段、ＩＤ識別部
２２０　サービス取得手段、サービス取得部
２３０　多種ＩＤレジストリ
２３１　付加情報付き多種ＩＤレジストリ
２３２，２３３　単一種ＩＤレジストリ
２３４、２３５　付加情報付き単一種ＩＤレジストリ
２４０　付加情報付きサービス取得部
２６０　ＤＢ選択部
２７０　ＩＤ識別外部委託部
３００　メールサーバ
３１０　ＩＤ識別部
３２０　サービス取得部
３３０　多種ＩＤレジストリ
４００　ＩＤ識別部
５００　端末
５１０　多種ＩＤサービス登録部
６００　端末
６１０　付加情報付き多種ＩＤサービス登録部
７００　端末
７１０　単一種ＩＤサービス登録部
８００　端末
８１０　付加情報付き単一種ＩＤサービス登録部
【図１】
2004030330.tif 000003
【図２】
2004030330.tif 000004
【図３】
2004030330.tif 000005
【図４】
2004030330.tif 000006
【図５】
2004030330.tif 000007
【図６】
2004030330.tif 000008
【図７】
2004030330.tif 000009
【図８】
2004030330.tif 000010
【図９】
2004030330.tif 000011
【図１０】
2004030330.tif 000012
【図１１】
2004030330.tif 000013
【図１２】
2004030330.tif 000014
【図１３】
2004030330.tif 000015
【図１４】
2004030330.tif 000016
【図１５】
2004030330.tif 000017